(57)【特許請求の範囲】
【請求項１】
複数の歯科用チェアユニットのインスツルメントの水回路並びに複数のシンクの水回路の基管に連結された殺菌水・洗浄水供給部と、前記殺菌水・洗浄水供給部からの殺菌水の供給と洗浄水の供給とを切り替える切り替え選択回路と、複数の歯科用チェアユニットのインスツルメントの水回路並びに複数のシンクの水回路において使用した後の殺菌水又は洗浄水を排出する排出管路とを備えてなることを特徴とする歯科用殺菌・洗浄管理装置。
【請求項２】
殺菌水・洗浄水供給部に、殺菌水及び洗浄水を常温で、あるいは加熱して供給する回路を備えてなることを特徴とする請求項１に記載の歯科用殺菌・洗浄管理装置。
【請求項３】
殺菌水・洗浄水供給部からの殺菌水の供給と洗浄水の供給との切り替え操作をするための操作盤を備え、同操作盤には複数のチェアユニットのインスツルメントの水回路並びに複数のシンクの水回路を一斉に殺菌又は洗浄する一斉用操作スイッチを備えてなることを特徴とする請求項１又は２に記載の歯科用殺菌・洗浄管理装置。
【請求項４】
上記操作盤が、複数のチェアユニットのインスツルメントの水回路並びに複数のシンクの水回路を個別に殺菌又は洗浄するために、殺菌水・洗浄水供給部からの殺菌水の供給と洗浄水の供給とを切り替える個別用操作スイッチを備えてなることを特徴とする請求項３に記載の歯科用殺菌・洗浄管理装置。
【請求項５】
上記操作盤が、複数の歯科用チェアユニットのインスツルメントの水回路並びに複数のシンクの水回路に供給する殺菌水及び洗浄水を常温で、あるいは加熱して供給するための、殺菌水加熱器用開閉スィッチと洗浄水加熱器用開閉スィッチを備えてなることを特徴とする請求項３又は４に記載の歯科用殺菌・洗浄管理装置。
【請求項６】
複数の歯科用チェアユニットのインスツルメントの水回路並びに複数のシンクの水回路各々に個別操作盤を備え、該個別操作盤が個々のチェアユニットのインスツルメントの水回路並びに個々のシンクの水回路の殺菌又は洗浄を実施するために、殺菌水・洗浄水供給部からの殺菌水の供給と洗浄水の供給とを切り替える切り替え操作スイッチを備えてなることを特徴とする請求項１〜５のいずれか１項に記載の歯科用殺菌・洗浄管理装置。
【発明の詳細な説明】
【０００１】
【発明の属する技術分野】
本発明は、歯科用の複数のチェアユニットのインスツルメントの水回路並びに複数のシンクの水回路の処理に係り、特に殺菌水あるいは洗浄水を大本で切り替えて一斉に殺菌・洗浄を行うか又は各インスツルメントおよびシンクを個別に切り替えて殺菌・洗浄を行い、かつ上記は常温あるいは加熱された殺菌水又は洗浄水の選択を可能とする殺菌・洗浄管理装置に関する。
【０００２】
【従来の技術】
従来、歯科用チェアユニットのインスツルメント並びにシンクの水回路の処理は、使用後洗浄水による洗浄が、個別に行われていた。
【０００３】
【発明が解決しようとする課題】
しかしながら、上記インスツルメント並びにシンクにおいて、洗浄水のみではその水回路の残留水が汚染されるおそれがあった、また、酸性水等による水回路の殺菌も試みられているが、酸化による水回路の腐食劣化等の問題があった、また、従来は洗浄は個別に行われていたため、複数のインスツルメント並びにシンクの水回路の洗浄は作業効率が悪かった。
さらに、前記の洗浄は常温で行われており、洗浄効率もよくなかった。
本発明は上記の課題を解決しかつ、効率的に処理する殺菌・洗浄管理装置を提供する。
【０００４】
【課題を解決するための手段】
上記の課題に鑑み本願発明者等は鋭意研究の結果下記に示す手段によりこの問題を解決した。
（１）複数の歯科用チェアユニットのインスツルメントの水回路並びに複数のシンクの水回路の基管に連結された殺菌水・洗浄水供給部と、前記殺菌水・洗浄水供給部からの殺菌水の供給と洗浄水の供給とを切り替える切り替え選択回路と、複数の歯科用チェアユニットのインスツルメントの水回路並びに複数のシンクの水回路において使用した後の殺菌水又は洗浄水を排出する排出管路とを備えてなることを特徴とする歯科用殺菌・洗浄管理装置。
（２）殺菌水・洗浄水供給部に、殺菌水及び洗浄水を常温で、あるいは加熱して供給する回路を備えてなることを特徴とする前項（１）に記載の歯科用殺菌・洗浄管理装置。
（３）殺菌水・洗浄水供給部からの殺菌水の供給と洗浄水の供給との切り替え操作をするための操作盤を備え、同操作盤には複数のチェアユニットのインスツルメントの水回路並びに複数のシンクの水回路を一斉に殺菌又は洗浄する一斉用操作スイッチを備えてなることを特徴とする前項（１）又は（２）に記載の歯科用殺菌・洗浄管理装置。
（４）上記操作盤が、複数のチェアユニットのインスツルメントの水回路並びに複数のシンクの水回路を個別に殺菌又は洗浄するために、殺菌水・洗浄水供給部からの殺菌水の供給と洗浄水の供給とを切り替える個別用操作スイッチを備えてなることを特徴とする前項（３）に記載の歯科用殺菌・洗浄管理装置。
（５）上記操作盤が、複数の歯科用チェアユニットのインスツルメントの水回路並びに複数のシンクの水回路に供給する殺菌水及び洗浄水を常温で、あるいは加熱して供給するための、殺菌水加熱器用開閉スィッチと洗浄水加熱器用開閉スィッチを備えてなることを特徴とする前項（３）又は（４）に記載の歯科用殺菌・洗浄管理装置。
（６）複数の歯科用チェアユニットのインスツルメントの水回路並びに複数のシンクの水回路各々に個別操作盤を備え、該個別操作盤が個々のチェアユニットのインスツルメントの水回路並びに個々のシンクの水回路の殺菌又は洗浄を実施するために、殺菌水・洗浄水供給部からの殺菌水の供給と洗浄水の供給とを切り替える切り替え操作スイッチを備えてなることを特徴とする前項（１）〜（５）のいずれか１項に記載の歯科用殺菌・洗浄管理装置。
【０００５】
【発明の実施の形態と実施例】
本発明の形態を実施例により図に基づいて
説明する。
図１は、殺菌水・洗浄水供給及び制御の配管、配線の基本系統図である。
図において、１は殺菌水・洗浄水供給部、２〜５はチェアユニット、６はシンク７は洗浄水（原水）、８ａは洗浄水基管、８ｂは洗浄水配管、９は殺菌水生成器、１０ａは殺菌水基管、１０ｂは殺菌水配管、１３は排出管路、１４は排出流路、１９ａ洗浄水開閉バルブ、１９ｂは殺菌水開閉バルブ、２０ａ、２１ａは洗浄水開閉バルブ、２０ｂ、２１ｂは殺菌水開閉バルブ、２２ａ〜２６ａは個別洗浄水開閉バルブ、２２ｂ〜２６ｂは個別殺菌水開閉バルブ、３０は殺菌水用加熱器、３１ｂは殺菌水加熱器用開閉スイッチ、３１ｃは洗浄水加熱器用開閉スイッチ、３２は洗浄水用加熱器、３５はＡＣ電源、３６は加熱器制御部、４１はシンク部、４２〜４５はチェアユニット部、４６は殺菌水・洗浄水供給部操作盤、４７は個別チェアユニット及びシンク用操作盤を示す。
【０００６】
図２は、殺菌水・洗浄水供給部操作盤の外観図である。
図において、１９ｃは個別用操作スイッチ、２０ｃは一斉用操作スイッチ、２１ｃは一斉用の殺菌操作スイッチ、２１ｄは一斉用洗浄操作スイッチ、３１ａは加熱用操作スイッチ、３１ｄは常温用操作スイッチ、３７は加熱温度表示メータ、３８は常温表示メータをそれぞれ示す。
図３は、個別チェアユニット及びシンク用操作盤の外観図である。
図において、２２ｃ〜２６ｃは個別用殺菌用操作スイッチ、２２ｄ〜２６ｄは個別用洗浄操作スイッチをそれぞれ示す。
以下図１〜図３に基づいて構成及び作用を説明する。
【０００７】
図１に示したように、全体の配管の系統としては、殺菌水・洗浄水供給部１から、殺菌水を供給する殺菌水基管１０ａ、殺菌水配管１０ｂの２系統及び、洗浄水を供給する洗浄水基管８ａ、洗浄水配管８ｂの２系統からなり、それぞれ複数台のシンク部４１（図１では１台、他は図示せず）並びに複数台のチェアユニット部４２〜４５に供給している。
なお、洗浄水は原水（水道水、浄水タンクの水等）を使用する。
上記の配管は、殺菌水・洗浄水供給部操作盤４６により、前記シンク部４１及びチェアユニット部４２〜４５の水回路の殺菌あるいは洗浄を一斉に実施する２系統と、個別チェアユニット及びシンク用操作盤４７により、前記シンク部４１及びチェアユニット部４２〜４５の水回路の殺菌あるいは洗浄を個別に実施する２系統の計４系統が配設されている。
また、前記シンク部６からの排水及びチェアユニット部４２〜４５からの排水は、個別の排出流路１４から連結された排出管路１３によって、外部に排出される１系統の配管があり、合計５つの系統から構成されている。
そして、上記の配管の間には、多数の切り替え開閉用のバルブが配設されており、殺菌水・洗浄水供給部操作盤４６あるいは個別チェアユニット及びシンク用操作盤４７の切り替えスイッチにより各種の機能が設定される。
以下図１及び図２によってその事例を説明する。
【０００８】
▲１▼、殺菌水・洗浄水供給部操作盤４６において殺菌水を一斉に供給する場合は、図２の一斉用操作スイッチ２０ｃを押すと、図１に示した連動する個別用の洗浄水開閉バルブ１９ａ及び殺菌水開閉バルブ１９ｂは閉となると共に、閉となっていた一斉側の洗浄水開閉バルブ２０ａ及び殺菌水開閉バルブ２０ｂが開きスタンバイの状態になる。
この状態で、図２の一斉用殺菌用操作スイッチ２ｃを押すと、図１に示す前記一斉側の洗浄水開閉バルブ２１ａは閉となり、殺菌水開閉バルブ２１ｂが開となって作動状態となり（細部図４）、前記シンク部４１並びにチェアユニット部４２〜４５に殺菌水が供給される。
そしてこの殺菌水はシンク部４１のシンク６の水回路並びに、チェアユニット部４２〜４５のチェアユニット２〜５のインスツルメントの水回路１８（図４）を通過し、排出流路１４を通って排出管路１３より外部に排出される。
上記によって、水回路内を殺菌することができる。
【０００９】
▲２▼、殺菌水・洗浄水供給部操作盤４６において洗浄水を一斉に供給する場合は、図２の一斉用操作スイッチ２０ｃは上記と同様とし、この状態で、図２の一斉用洗浄用操作スイッチ２１ｄを押すと、図１に示す前記一斉側の洗浄水開閉バルブ２１ａは開となり、殺菌水開閉バルブ２１ｂが閉となり作動状態となり（細部図４）、前記シンク部４１並びにチェアユニット部４２〜４５に洗浄水が供給される。そしてこの洗浄水はシンク部４１のシンク６の水回路並びに、チェアユニット部４２〜４５のチェアユニット２〜５のインスツルメントの水回路１８（図４）を通過し、排出流路１４を通って排出管路１３より外部に排出される。
上記によって水路内の残留殺菌水は洗浄されるので、水回路の腐食や劣化を防止することができる。
【００１０】
▲３▼、次に複数台のシンク部並びにチェアユニット部で個別に、殺菌・洗浄を選択し実施する場合を説明する。
殺菌水・洗浄水供給部操作盤４６において、個別用操作スイッチ１９ｃ（図２、）を押すと、図１に示したように、まず開となっていた一斉側の洗浄水開閉バルブ２０ａ及び殺菌水開閉バルブ２０ｂが閉となると共に、個別用の洗浄水開閉バルブ１９ａ及び殺菌水開閉バルブ１９ｂは開となって、前記洗浄水用配管８ｂ及び殺菌水用配管１０ｂを通って洗浄水及び殺菌水が供給される（細部図４）。
そして、前記前記シンク部４１並びにチェアユニット部４２〜４５には、個別にチェアユニット及びシンク用操作盤４７が配設されており、個別時の殺菌・洗浄用操作スイッチ２２ｃ〜２６ｃ（図３）の切り替えによって、個別に殺菌・洗浄を行うことができる。
例えば、チェアユニット部２において、個別チェアユニット及びシンク用操作盤４７の個別用殺菌操作スイッチ２３ｃを押すと（図３）、個別殺菌水開閉バルブ２３ｂが開き、連動する個別洗浄水開閉バルブ２３ａが閉じて、殺菌水のみが供給される（図４）。
【００１１】
また、上記において、洗浄水を供給する場合は、同様に個別チェアユニット及びシンク用操作盤４７の個別用洗浄操作スイッチ２２ｄを押すと（図３）、個別殺菌水開閉バルブ２３ｂが閉じ、連動する個別洗浄水開閉バルブ２３ａが開いて、洗浄水のみが供給される（図４）。
上記のようにして、各のシンク部並びにチェアユニット部において、自由に殺菌・洗浄の選択を行うことができる。
この個別選択の設定にしておけば、例えば複数のシンク並びに複数のチェアユニットのインスツルメントがある場合、相互関係及び診療中又はその終了後等の時間に関係なく、それらの殺菌・洗浄を個別に行うことができる。
【００１２】
そして、上記殺菌水あるいは洗浄水は、シンク部４１のシンク６の水回路並びに、チェアユニット部４２〜４５のチェアユニット２〜５のインスツルメントの水回路１８（図４）を通過し、排出流路１４を通って排出管路１３より外部に排出される。
上記によって水路内は殺菌されまた、洗浄により水回路の腐食や劣化を防止することができる。
【００１３】
以上は主として配管の系統について述べたが次に、前記殺菌・洗浄の効果を助成する殺菌水並びに洗浄水の加熱方式について述べる。
図１に示した殺菌水生成器９の形態は特に問わず、例えば前記水道水等の原水を注入しながら酸性水、ソフト酸性水等をその場で生成する装置、あるいは殺菌性の錠剤、粉末等の水溶液をタンクの中に貯留したものでもよい。
また、洗浄水は洗浄水（水道水）のままでもよいが、両者共通常は常温で使用されている。
周知のように、洗浄水は常温よりやや高い温度の方が、汚染に対する洗浄効果があることが知られており、さらに、６０℃では大半の細菌が死滅することが知られている。また、殺菌水等も薬液成分が変化しない範囲内の加熱温度においては殺菌効果が高まることが知られている。そして、歯科の患者にとって口腔内の注液は冷液より体温に近い微温であることが望ましい。
したがって、本発明では、殺菌水・洗浄水供給部１に殺菌水用加熱器３０及び洗浄水用加熱器３２を設け（図１）、殺菌水・洗浄水供給部操作盤４６の常温用操作スイッチ３１ｄ及び、加熱用操作スイッチ３１ａ（図２）によって、切り替え制御並びに温度表示を行うようにしている。
【００１４】
例えば、殺菌水及び洗浄水を加熱する場合、加熱用操作スイッチ３１ａのスイッチを押すと（図２）、殺菌水加熱器用開閉スイッチ３１ｂ及び洗浄水加熱器用開閉スイッチ３１ｃはＯＮになり、前記殺菌水用加熱器３０、洗浄水用加熱器３２が加熱され近接している殺菌水及び洗浄水も加熱される。
そして、その温度は加熱器制御部３６によって設定温度にコントロールされ、
加熱温度表示メータ３７に表示される（図１）。
常温で使用する場合は、常温用操作スイッチ３１ｄを押すと（図２）、前記殺菌水加熱器用開閉スイッチ３１ｂ及び洗浄水加熱器用開閉スイッチ３１ｃはＯＦＦになり常温になる（図１）。
なお、温度の設定・表示は常温・加熱の両方を表示、あるいは殺菌水・洗浄水の温度を別々に設定、表示してもよい（図２）。
上記のように温度の設定、制御は選択することができるため、例えば診療時には微温とし、診療終了後の殺菌・洗浄には高温に設定すれば、効率よく作業を進めることができる。
【００１５】
図４は、本発明の歯科用殺菌・洗浄管理装置全体の系統図である。
図において１５はスピットン、１６はインスツルメント収納台、１７はインスツルメントＯＮ，ＯＦＦスイッチ、１８はインスツルメントのヘッド部、１９〜２１は電磁バルブ駆動コイル、２２〜２６は個別用電磁バルブ駆動コイル、２７は電磁バルブ駆動コイル用ＤＣ電源、３１は常温・加熱用操作スイッチ駆動コイル、３３は洗浄水加熱用容器、３４はＡＣラインをそれぞれ示す。
【００１６】
本装置の配管、配線の基本系統については、図１〜図３によって前述したが、本図４によって詳細を補足説明する。
殺菌水・洗浄水供給部１は殺菌水・洗浄水供給操作盤４６を含むが（図１、図２）、本系統図では番号によって当該切り替えスイッチ等を表示している。
▲１▼、前記殺菌水・洗浄水供給操作盤において殺菌水を一斉に供給する場合は、一斉用操作スイッチ２０ｃを押すと（図２）、電磁バルブ駆動コイル１９及び電磁バルブ駆動コイル２０が作動して、洗浄水開閉バルブ１９ａ及び殺菌水開閉バルブ１９ｂが閉となると共に、一斉用の洗浄水開閉バルブ２０ａ及び殺菌水開閉バルブ２０ｂが開となって、スタンバイの状態になる。
この状態で一斉用殺菌操作スイッチ２１ｃを押すと（図２）、電磁バルブ駆動コイル２１が作動して、洗浄水開閉バルブ２１ａが閉となり、殺菌水開閉バルブ２１ｂが開となって、殺菌水配管１０ｂを通って前記シンク部４１並びにチェアユニット部４２〜４５に殺菌水が供給される。
【００１７】
▲２▼、前記殺菌水・洗浄水供給操作盤４６において洗浄水を一斉に供給する場合は、上記と同様な状態で、一斉用洗浄水操作スイッチ２１ｄ（一斉用洗浄水操作スイッチ２１ｃと機械的に連動のリセットスイッチ）を押すと（図２）、前記一斉用殺菌操作スイッチ２１ｃの接点はＯＦＦとなるため電磁バルブ駆動コイル２１は作動が解除され、洗浄水開閉バルブ２１ａが開となり、殺菌水開閉バルブ２１ｂが閉となって、洗浄水配管８ｂを通って前記シンク部４１並びにチェアユニット部４２〜４５に洗浄水が供給される。
【００１８】
▲３▼、次に複数台のシンク部並びにチェアユニット部で個別に、殺菌・洗浄を選択し実施する場合には、
殺菌水・洗浄水供給部操作盤４６において、個別用操作スイッチ１９ｃ（一斉用操作スイッチ２０ｃと機械的に連動のリセットスイッチ）を押すと、前記一斉用操作スイッチ２０ｃの接点はＯＦＦとなるため、電磁バルブ駆動コイル２０は作動が解除され、洗浄水開閉バルブ２１ａ及び殺菌水開閉バルブ２１ｂが閉となって一斉供給の水路は停止されると共に、電磁バルブ駆動コイル１９も作動が解除され、洗浄水開閉バルブ１９ａ及び殺菌水開閉バルブ１９ｂが開となり、洗浄水配管８ｂ及び殺菌水配管１０ｂを通って供給される。
そして、前記前記シンク部４１並びにチェアユニット部４２〜４５には、個別にチェアユニット及びシンク用操作盤４７が配設されているので、個別用殺菌操作スイッチ２２ｃ〜２６ｃあるいは個別用洗浄操作スイッチ２２ｄ〜２６ｄの切り替えによって、個別に殺菌・洗浄を行うことができる。
▲４▼、上記において、例えば、チェアユニット部４２において、前記個別チェアユニット及びシンク用操作盤４７の個別用殺菌操作スイッチ２３ｃを押すと（図３）、個別殺菌水開閉バルブ２３ｂが開き、連動する個別洗浄水開閉バルブ２３ａが閉じて、殺菌水のみが供給される。
また、個別用洗浄水操作スイッチ２３ｄを押すと（図３）、個別洗浄水開閉バルブ２３ａが開き、連動する個別殺菌水開閉バルブ２３ｂが閉じて、洗浄水のみが供給される。
以下、同様にして前記シンク部４１並びにチェアユニット部４３〜４５における各殺菌・洗浄用操作盤４７の選択に応じてに洗浄水が供給される。
【００１９】
次ぎに、前記シンク部及びチェアユニット部の排出について説明する。
例えば、チェアユニット部４２において、前記殺菌水が供給されているとすると、その殺菌水は図４に示すように、チェアユニット２のスピットン１５の水回路と、各種インスツルメント１６においては、インスツルメントＯＮ，０ＦＦスイッチ１７をＯＮすることにより、インスツルメントのヘッド部１８を通って前記スピットン１５部に排出されるものとすると、殺菌水は排出流路１４から排出管路１３に排出されそこから外部に排出される。
また、前記に洗浄水が供給されているとすると、同様にチェアユニット２のスピットン１５の水回路と、各種インスツルメント１６においては、インスツルメントＯＮ，０ＦＦスイッチ１７をＯＮすることにより、インスツルメントのヘッド部１８を通って前記スピットン１５部に排出されるものとすると、洗浄水は排出流路１４から排出管路１３に排出されそこから外部に排出される。
シンク６においても同様に排出される殺菌水あるいは洗浄水は、排出流路１４から排出管路１３に排出されそこから外部に排出される。
【００２０】
上記の排出作用は、一斉供給、個別供給共同じであるが、一斉の場合は、排水管路１３には、殺菌水あるいは洗浄水のいずれか片方が排出され、個別供給の場合は複数台における選択によって、殺菌水及び洗浄水が混合して排出管路１３に排出されそこから外部に排出される。
【００２１】
【発明の効果】
本発明の歯科用殺菌・洗浄管理装置によれば下記に示す優れた効果を発揮する。
１、本発明の請求項１の発明によれば、
複数の歯科用チェアユニットのインスツルメントの水回路並びに複数のシンクの水回路の基管に連結された殺菌水・洗浄水供給部と、前記殺菌水・洗浄水供給部からの殺菌水の供給と洗浄水の供給とを切り替える切り替え選択回路と、複数の歯科用チェアユニットのインスツルメントの水回路並びに複数のシンクの水回路において使用した後の殺菌水又は洗浄水を排出する排出管路とを備えてなるため、前記各水回路の殺菌を行った後、洗浄してその腐食、劣化を防止することができ、また、一台の殺菌水・洗浄水供給部によって、複数台のシンク並びに複数台の歯科用チェアユニットのインスツルメントの殺菌・洗浄を実施できるため作業管理の簡易化と効率化を図ることができる。
【００２２】
２、請求項２の発明によれば、
本発明では常温の他、調整加熱して洗浄水あるいは殺菌水を供給できるため、洗浄水においては、患者用の微温湯から洗浄効果のよい中高温、さらに殺菌効果をもつ高温まで広範囲に温度設定し使用することができる。また、殺菌水においても薬液成分が変化しない範囲の温度まで加熱設定でき殺菌効果を高めることができる。
３、請求項３の発明によれば、
殺菌水・洗浄水供給部の操作盤において、複数の歯科用チェアユニットのインスツルメントの水回路並びにシンクの水回路を一斉に殺菌又は洗浄する一斉用操作スイッチを備えてなるため、前記一斉用操作スイッチの操作により、一台の殺菌水・洗浄水供給部によって、複数台のシンク並びに複数台の歯科用チェアユニットのインスツルメントの殺菌・洗浄を同時に実施できるため、作業管理の効率化を図ることができる。
４、請求項４の発明によれば、
殺菌水・洗浄水供給部の操作盤において、複数の歯科用チェアユニットのインスツルメントの水回路並びにシンクの水回路を、個別に殺菌又は洗浄する個別用操作スイッチを備えてなるため、一台の殺菌水・洗浄水供給部によって、複数台のシンク並びに複数台の歯科用チェアユニットのインスツルメントの殺菌・洗浄作業を個別に実施することができる。
５、請求項５の発明によれば、
殺菌水・洗浄水供給部の操作盤において、複数の歯科用チェアユニットのインスツルメントの水回路並びにシンクの水回路に供給する殺菌水及び洗浄水を、常温あるいは加熱するための切り替え操作スイッチを備えてなるため、作業時の状況に応じて常温あるいは加熱に切り替え、殺菌水、洗浄水をそれぞれ単独に、あるいは組み合わせて効率よく管理使用することができる。
６、請求項６の発明によれば、
複数の歯科用チェアユニットのインスツルメントの水回路並びに複数のシンクの水回路が各々、個別操作盤を備え、該個別操作盤が個々の歯科用チェアユニットのインスツルメントの水回路並びに個々のシンクの水回路を殺菌又は洗浄するための切り替えスイッチを備えてなるため、個別操作盤の前記切り替え操作スイッチの操作により、それぞれのシンクの水回路並びにそれぞれの歯科用チェアユニットのインスツルメントの水回路の殺菌、洗浄作業を個別に行うことができ、かつ、治療あるいは終了時間に関係なく実施できるため作業に自由度をもたせることができる。
【図面の簡単な説明】
【図１】殺菌水・洗浄水供給及び制御の配管、配線の基本系統図。
【図２】殺菌水・洗浄水供給部操作盤の外観図。
【図３】個別チェアユニット及びシンク用操作盤の外観図。
【図４】本発明の歯科用殺菌・洗浄管理装置全体の系統図。
【符号の説明】
１：殺菌水・洗浄水供給部            ２〜５：チェアユニット
６：シンク                          ７：洗浄水
８ａ：洗浄水基管                    ８ｂ：洗浄水配管
９：殺菌水生成器                    １０ａ：殺菌水基管
１０ｂ：殺菌水配管                  １３：排出管路
１４：排出流路                      １５：スピットン
１６：インスツルメント収納台
１７：インスツルメントＯＮ，ＯＦＦスイッチ
１８：インスツルメントのヘッド部
１９〜２１：電磁バルブ駆動コイル
１９ａ：洗浄水開閉バルブ
１９ｂ：殺菌水開閉バルブ
１９ｃは個別用操作スイッチ
２０ａ、２１ａ：洗浄水開閉バルブ
２０ｂ、２１ｂ：殺菌水開閉バルブ
２０ｃ：一斉用操作スイッチ
２１ｃ：一斉用殺菌操作スイッチ
２１ｄ：一斉用洗浄操作スイッチ
２２〜２６：個別用電磁バルブ駆動コイル
２２ｃ〜２６ｃ：個別用殺菌操作スイッチ
２２ｄ〜２６ｄ：個別用洗浄水操作スイッチ
２７：電磁バルブ駆動コイル用ＤＣ電源
３１：常温・加熱用操作スイッチ駆動コイル
３１ａ：加熱用操作スイッチ          ３１ｂ：殺菌水加熱器用開閉スイッチ
３１ｃ：洗浄水加熱器用開閉スイッチ  ３１ｄ：常温用操作スイッチ
３２：洗浄水用加熱器                ３３：洗浄水加熱容器
３４：ＡＣライン                    ３５：ＡＣ電源
３６：加熱器制御部                  ３７：加熱温度表示メータ
３８：常温表示メータ                ４１：シンク部
４２〜４５：チェアユニット部
４６：殺菌水・洗浄水供給部操作盤
４７：個別チェアユニット及びシンク用操作盤
【図１】
0004314652.tif 000002
【図２】
0004314652.tif 000003
【図３】
0004314652.tif 000004
【図４】
0004314652.tif 000005